【手続補正書】
【提出日】平成22年3月31日(2010.3.31)
【手続補正１】
【補正対象書類名】明細書
【補正対象項目名】発明の名称
【補正方法】変更
【補正の内容】
【発明の名称】印刷制御装置、印刷制御方法および印刷制御プログラム
【手続補正２】
【補正対象書類名】明細書
【補正対象項目名】０００６
【補正方法】変更
【補正の内容】
【０００６】
上記課題の少なくとも一つを解決するために、例えば原稿台やプラテン上にセットされた印刷指示媒体の画像を受け付ける。これにより、上記印刷指示媒体に関する画像情報を得ることができる。指定情報取得手段は上記の画像入力による画像入力結果から印刷媒体指定情報を取得する。すなわち、上記印刷指示媒体においては上記印刷媒体指定情報が示されており、当該印刷指示媒体の画像を受け付けることにより、上記印刷媒体指定情報を取得することができる。印刷指示手段は、以上のようにして取得した上記印刷媒体指定情報に基づいて印刷対象の画像データに対して画像処理を行うとともに、さらに当該印刷媒体指定情報に基づいて特定した上記印刷媒体に対して印刷させるよう印刷指示を行う。このようにすることにより、ユーザーは所望の上記印刷指示媒体の画像を受け付けさせれば、当該印刷指示媒体が表す上記印刷媒体指定情報に応じた印刷を実行させることができる。例えば、上記印刷媒体指定情報を示す複数の上記印刷指示媒体をユーザーに予め提供しておく。そして、ユーザーが所望の上記印刷媒体指定情報を表す上記印刷指示媒体を選択して、その画像を受け付けさせることにより、所望の画像処理指定と印刷媒体指定にて印刷を実行させることができる。なお、上記画像処理は、上記画像データを印刷装置が取り扱い可能な印刷データに変換する「印刷データ生成」に相当する処理が含まれ、ユーザーの趣向等に応じて画像データの明るさや色等を調整する「絵作り」に相当する処理が含まれてもよい。
【手続補正３】
【補正対象書類名】明細書
【補正対象項目名】０００７
【補正方法】変更
【補正の内容】
【０００７】
上記印刷指示媒体を画像入力することにより、上記印刷媒体指定情報が上記指定情報取得手段によって得られるが、種々の具体的手法によってこれらの情報が得られるようにすることができる。上記印刷指示媒体における光の反射特性を検出し、該反射特性に基づいて上記印刷媒体の種類を上記印刷媒体指定情報の一部として取得する。また、例えば、上記指定情報取得手段によって上記印刷指示媒体を画像入力することにより、当該印刷指示媒体のサイズを計測し、当該大きさに基づいて上記印刷媒体指定情報としての上記印刷媒体のサイズを特定するようにしてもよい。すなわち、上記印刷指示媒体と同一のサイズの上記印刷媒体に対して上記画像データの印刷が行われるように規定しておけば、ユーザーは印刷したい大きさの上記印刷指示媒体を選択して画像入力させることにより、所望のサイズの上記印刷媒体に対して印刷を行わせることができる。これにより、ユーザーが印刷したい印刷媒体のサイズの名称（例えばＡ４や２Ｌ版等）を知っていなくても、直感的に所望のサイズの上記印刷媒体のサイズを指定することができる。
【手続補正４】
【補正対象書類名】明細書
【補正対象項目名】０００９
【補正方法】変更
【補正の内容】
【０００９】
ある印刷装置が印刷を実行することができないような上記印刷媒体指定情報によって印刷すべきことが上記印刷指示媒体によって指示される場合も考えられる。この場合、そのままでは印刷を実行することが出来ないような上記印刷指示がなされてしまう。そこで、機種情報取得手段によって印刷を実行させる印刷装置の機種情報を取得し、上記印刷媒体指定情報と上記機種情報との比較を行う。そして、当該比較の結果に応じて上記印刷指示を修正する。このようにすることにより、印刷を実行させる上記印刷装置の機種情報に適合するように上記印刷指示を修正することができ、当該印刷装置において確実に印刷を実行させることができる。例えば、最大用紙サイズとしてＡ４サイズまでの印刷が可能の上記印刷装置に印刷を実行させるに際し、上記印刷媒体指定情報にてＡ３サイズが指定されることも考えられる。この場合、上記機種情報としての最大用紙サイズ（Ａ４）と、上記印刷媒体指定情報としてのＡ３サイズとを比較し、印刷が不可能なＡ３サイズを最大限印刷が可能なＡ４サイズに修正した上記印刷指示を出力することが可能となる。
【手続補正５】
【補正対象書類名】明細書
【補正対象項目名】００１０
【補正方法】変更
【補正の内容】
【００１０】
基本的には上記印刷指示媒体が表す上記印刷媒体指定情報に基づいて上記印刷指示がなされるが、これらの指定情報が完全にユーザーの意向に合致しないことも考えられる。これに対して、受付手段によって所定のＵＩ表示を行い、当該ＵＩ表示にしたがってユーザー等からの指示を受け付けるとともに、当該指示に応じて上記印刷指示を修正する。このようにすることにより、よりユーザーの満足度の高い上記印刷指示をさせることができる。
【手続補正６】
【補正対象書類名】明細書
【補正対象項目名】００１２
【補正方法】変更
【補正の内容】
【００１２】
さらに本発明の技術的思想は、印刷制御装置において行われる印刷制御方法においても具現化されることはいうまでもない。また、当該印刷制御方法を実現するための印刷制御プログラムをコンピュータに読み込ませ、所定の機能を実行させることにより、コンピュータを用いて実現することも可能である。さらに、上述した印刷制御装置や印刷制御方法や印刷制御プログラムを一部に有する他の装置や方法やプログラムにおいても、本発明の技術的思想を具現化することができる。例えば、上述した印刷制御装置を一部に含む印刷装置においても本発明の効果を得ることができる。より具体的には、印刷手段を兼ね備えたダイレクトプリンタにおいて本発明が実現されてもよい。また、上述した印刷制御装置や印刷制御方法や印刷制御プログラムが有する手段や工程や機能が複数の装置において分担されて実現されるものであってもよい。例えば、一部の機能がパーソナルコンピュータのプリンタドライバによって実現され、別の一部の機能がプリンタのファームウェアによって実現されてもよい。さらに、上記指定情報取得手段がカメラ付携帯電話等の別の装置に含まれ、他の手段がパーソナルコンピュータやプリンタにて具現化されるようにしてもよい。
【手続補正７】
【補正対象書類名】特許請求の範囲
【補正対象項目名】全文
【補正方法】変更
【補正の内容】
【特許請求の範囲】
【請求項１】
印刷媒体に対する印刷の実行を制御する印刷制御装置において、
印刷指示媒体の画像を受け付け、その画像から印刷媒体指定情報の一部を取得する指定情報取得手段と、
印刷対象の画像データに対して上記印刷媒体指定情報に基づく画像処理を実行し、当該印刷媒体指定情報に基づいて特定した上記印刷媒体に対して印刷を実行するよう印刷指示を行う印刷指示手段とを具備し、
上記指定情報取得手段は、上記印刷指示媒体における光の反射特性を検出し、該反射特性に基づいて上記印刷媒体の種類を上記印刷媒体指定情報の一部として取得する、ことを特徴とする印刷制御装置。
【請求項２】
コンピュータによって印刷媒体に対する印刷の実行を制御する印刷制御方法において、
印刷指示媒体の画像を受け付け、その画像から印刷媒体指定情報の一部を取得する指定情報取得工程と、
印刷対象の画像データに対して上記印刷媒体指定情報に基づく画像処理を実行し、当該印刷媒体指定情報に基づいて特定した上記印刷媒体に対して印刷を実行するよう印刷指示を行う印刷指示工程とを具備し、
上記指定情報取得工程においては、上記印刷指示媒体における光の反射特性を検出し、該反射特性に基づいて上記印刷媒体の種類を上記印刷媒体指定情報の一部として取得する、ことを特徴とする印刷制御方法。
【請求項３】
印刷媒体に対する印刷を制御する処理をコンピュータに実行させる印刷制御プログラムにおいて、
印刷指示媒体の画像を受け付け、その画像から印刷媒体指定情報の一部を取得する指定情報取得機能と、
印刷対象の画像データに対して上記印刷媒体指定情報に基づく画像処理を実行し、当該印刷媒体指定情報に基づいて特定した上記印刷媒体に対して印刷を実行するよう印刷指示を行う印刷指示機能とを実行させ、
上記指定情報取得機能は、上記印刷指示媒体における光の反射特性を検出し、該反射特性に基づいて上記印刷媒体の種類を上記印刷媒体指定情報の一部として取得する、ことを特徴とする印刷制御プログラム。